(57)【要約】  【課題】厚みの薄い物品等に対しても好適に粘着体を転写することができる転写補助製品を提供する。  【解決手段】剥離基材ｔの表面に粘着体ｇを設けた転写式粘着材料Ｔを剥離基材ｔの裏面側から支持し転写式粘着材料Ｔの面方向における所定の移動方向へ転写式粘着材料Ｔを案内し得るステージＳＴと、ステージＳＴに対して移動方向に位置付けられ当該転写式粘着材料Ｔを剥離基材ｔの裏面側へ向けて鋭角に折り返して案内し得る鋭角案内手段Ｘ１、Ｘ２とを少なくとも具備している。  【選択図】図７
2008000934.tif 000002
【特許請求の範囲】
【請求項１】
剥離基材の表面に粘着体を設けた転写式粘着材料を前記剥離基材の裏面側から支持し前記転写式粘着材料の面方向における所定の移動方向へ前記転写式粘着材料を案内し得るステージと、
前記ステージに対して前記移動方向に位置付けられ当該転写式粘着材料を前記剥離基材の裏面側へ向けて鋭角に折り返して案内し得る鋭角案内手段とを少なくとも具備していることを特徴とする転写補助製品。
【請求項２】
前記鋭角案内手段を、前記転写式粘着材料を前記ステージの面方向に対して鋭角に折り返した状態で支持する案内部としている請求項１記載の転写補助製品。
【請求項３】
前記案内部を、前記ステージの縁部に設けている請求項２記載の転写補助製品。
【請求項４】
前記転写式粘着材料を前記移動方向へ移動させ得る粘着材料移動手段をさらに具備している請求項１、２又は３記載の転写補助製品。
【請求項５】
前記粘着材料移動手段を、所定の正方向へ前記転写式粘着材料を移動させる正方向移動部と前記正方向とは逆方向へ前記転写式粘着材料を移動させる逆方向移動部とを有するものとし、
前記鋭角案内手段を、前記ステージに対して前記正方向に位置付けた正方向案内部と前記ステージに対して逆方向に位置付けた逆方向案内部とを有するものとしている請求項４記載の転写補助製品。
【請求項６】
前記鋭角案内手段を、前記転写式粘着材料を前記ステージに対して９０°以下の角度で折り返して設けたものとしている請求項１、２、３、４又は５記載の転写補助製品。
【発明の詳細な説明】
【技術分野】
【０００１】
本発明は、粘着体を被着体の任意の箇所に転写し得る転写補助製品に関するものである。
【背景技術】
【０００２】
従来、日常生活や事務用途において、被着体を任意の箇所に止着するために、被着体の任意の一面に粘着剤を塗工し、任意の対象面に圧着することによって止着する態様に代わって、両面テープや転写具といった種々の粘着製品を用いて被着体を止着することが行われている。また主に事務用途としては、粘着剤や、着色剤、マスキング材を転写するといった態様が広く行われている。
【０００３】
ここで、上述したような粘着剤や両面テープといったものと、マスキングテープを転写する転写具等を総括して、転写補助製品ということとする。
【０００４】
一方産業用途においても、例えば特許文献１に開示しているように、粘着剤を用いて電子部品等を位置決めするためのシートが提案されている。同文献に記載のものは、予め剥離基材に支持させておいた粘着剤をプリント基板に転写し、さらに、プリント基板における粘着剤が転写された箇所に電子部品を配置することにより、電子部品の位置決めを好適に行い得るものである。
【０００５】
また一方、例えば特願２００６−０３０３４９号明細書のように、ナット等を粘着剤を所定の面に圧着することにより圧着面に粘着剤を好適に転写することができるものも開発されている。斯かる構成のものによれば、被着体の圧着面に合わせて粘着体を塗布したり別途転写具等を用いて圧着面の形状に沿って粘着体を転写したりすることを有効に回避して、粘着体を圧着面の形状に沿って好適に転写することができる。
【特許文献１】特開平５−１５４４３８号公報
【発明の開示】
【発明が解決しようとする課題】
【０００６】
ここで、上述のような粘着体を転写し得る転写補助製品には、厚みの薄い物品や、厚みが薄くしかも保形性を有するような物品に対しても好適に粘着体を転写することができ、且つ簡単に所望の箇所へ止着することができる態様のものが望まれている。
【０００７】
そのためには、物品に対して単に粘着体を確実に転写するための構成のみならず、剥離基材へ圧着した状態から簡単に物品を取り出し得るための構成や、当該取り出し作業の際に誤って粘着体が手指等に付着するといったことや、被着体が剥離基材に付着したまま転写補助製品に巻き取られてしまうことを有効に回避し得るための構成を付与することが望まれている。
【０００８】
本発明は、このような点に着目したものであり、厚みの薄い物品等に対しても好適に粘着体を転写することができる転写補助製品を提供する。
【課題を解決するための手段】
【０００９】
本発明は、このような目的を達成するために、次のような手段を講じたものである。すなわち、本発明に係る転写補助製品は、剥離基材の表面に粘着体を設けた転写式粘着材料を前記剥離基材の裏面側から支持し前記転写式粘着材料の面方向における所定の移動方向へ前記転写式粘着材料を案内し得るステージと、前記ステージに対して前記移動方向に位置付けられ当該転写式粘着材料を前記剥離基材の裏面側へ向けて鋭角に折り返して案内し得る鋭角案内手段とを少なくとも具備していることを特徴とするものである。
【００１０】
このようなものであれば、厚みの薄い物品を剥離基材に圧着した場合においても、物品を転写式粘着材料に圧着した状態で鋭角案内手段により転写式粘着材料を案内すれば、物品から剥離基材を好適に離間させることができ、物品を取り出し易いものとすることができる。そうすることにより、粘着体を転写した厚みの薄い物品や厚みが薄くしかも保形性を有する物品を、例えば手指に誤って粘着体を付着させてしまうといったことを有効に回避しつつ好適に取り扱うことができる。その結果として、厚みの薄い物品であっても簡単且つ迅速に粘着体を転写して所望の箇所に止着することが可能となる。
【００１１】
斯かる鋭角案内手段を単純な構成によって実現するためには、当該鋭角案内手段を、転写式粘着材料をステージの面方向に対して鋭角に折り返した状態で支持する案内部とすることが望ましい。案内部を好適に設けるための構成として、具体的には当該案内部をステージの縁部に設けた構成を挙げることができる。
【００１２】
そして、転写式粘着材料を移動方向へ移動させ得る粘着材料移動手段をさらに具備したものとすれば、転写式粘着材料に圧着した物品に手を触れる前に鋭角案内手段により転写式粘着材料を鋭角方向に離間させて、当該転写式粘着材料が物品に部分的に離間した状態とすることができる。そのため、当該状態において手指により好適に物品を取り出すことができる。
【００１３】
また、粘着材料移動手段を利用してステージ上に圧着した物品をより好適に取出しやすくするためには、粘着材料移動手段を、所定の正方向へ転写式粘着材料を移動させる正方向移動部と正方向とは逆方向へ転写式粘着材料を移動させる逆方向移動部とを有するものとし、鋭角案内手段を、ステージに対して正方向に位置付けた正方向案内部とステージに対して逆方向に位置付けた逆方向案内部とを有するものとすれば、正方向案内部又は逆方向案内部のうち、物品を何れか距離が近い方を選択することができる。
【００１４】
そして、斯かる構成の鋭角案内手段を有効に作用させ得る構成として、転写式粘着材料をステージに対して９０°以下の角度で折り返して設けたものを挙げることができる。
【発明の効果】
【００１５】
本発明によれば、厚みの薄い物品や厚みが薄くしかも保形性を有する物品を剥離基材に圧着した場合においても、物品を転写式粘着材料に圧着した状態で鋭角案内手段により転写式粘着材料を案内すれば、物品から剥離基材を好適に離間させることができ、物品を取り出し易い粘着補助製品とすることができる。
【発明を実施するための最良の形態】
【００１６】
以下、本発明の一実施の形態について図面を参照して説明する。
【００１７】
本実施形態に係る転写補助製品Ａを図１及び図２に示す。
【００１８】
この転写補助製品Ａは、図１及び図２に示すように、転写式粘着材料Ｔを後述するステージＳＴ上に配置することによって、例えば紙片やワッシャＷ等の物品をステージＳＴ上に圧着させて、その圧着面に粘着体ｇを転写するためのものである。言い換えれば、ステージＳＴ上に、圧着面に粘着体ｇを転写し得る被圧着転写面Ｚを形成しているものである。そして本実施形態で採用している転写式粘着材料Ｔは、同図に示すように、後述する巻出軸２１並びに巻取軸２２に架けて巻回した帯状の剥離基材ｔ上に、粘着体ｇを間欠状たるドットパターンで配置しているものである。このようにすることによって、物品の圧着面にドットパターン状に粘着体ｇを転写することとなり、例えば剥離基材ｔに粘着剤を均一塗布したものに比べて圧着面に対する粘着体ｇのはみ出しを有効に回避し、所謂優れた糊切れ性能を発揮しているものである。また言い換えれば、圧着面に合わせた粘着剤の型どりという手間を回避しつつ好適に圧着面に沿って粘着体ｇを好適に転写し得るものとなっている。
【００１９】
ここで、本実施形態に係る転写補助製品Ａは、剥離基材ｔの表面に粘着体ｇを設けた転写式粘着材料Ｔを剥離基材ｔの裏面側から支持し転写式粘着材料Ｔの面方向における所定の移動方向へ転写式粘着材料Ｔを案内し得るステージＳＴと、ステージＳＴに対して移動方向に位置付けられ当該転写式粘着材料Ｔを剥離基材ｔの裏面側へ向けて鋭角に折り返して案内し得る鋭角案内手段Ｘ１、Ｘ２とを少なくとも具備していることを特徴とするものである。
【００２０】
なお本明細書において、「正方向」を、転写式粘着材料Ｔを後述する巻出軸２１から巻取軸２２へ移動させる方向とし、「逆方向」を、巻取軸２２から巻出軸２１へ移動させる方向とする。
【００２１】
以下、転写補助製品Ａの具体的な構造について具体的に説明する。
【００２２】
転写補助製品Ａは、図１及び図２に示すように、装置本体Ａ１と、カバーＡ２とを有し、図１においてカバーＡ２を閉めた状態、図２においてカバーＡ２を開けた状態を図示している。
【００２３】
装置本体Ａ１は、当該装置本体Ａ１の主体をなす巻取装置１の内側に、図３に示す巻出軸２１並びに巻取軸２２を取り付けたホルダ２を保持してなるものである。
【００２４】
巻取装置１は、図４、図５に破線で示す、巻出軸２１並びに巻取軸２２を保持する巻出軸支持手段１１並びに巻取軸保持手段１２を有しているとともに、転写式粘着材料Ｔを移動方向へ移動させ得る、本発明に係る粘着材料移動手段として機能するものである。具体的には、この粘着材料移動手段たる巻取装置１を、移動方向として正方向並びに逆方向の２方向へ転写式粘着材料Ｔを移動させ得るものとし、正方向へ転写式粘着材料Ｔを移動させる正方向移動部１０ａと、逆方向へ転写式粘着材料Ｔを移動させる逆方向移動部１０ｂとを有するものとしている。斯かる構成により、後述する正方向レバー１３並びに逆方向レバー１４に対する往復動作による操作力を好適に正方向又は逆方向への駆動力へと変換し、転写式粘着材料Ｔを両方向に好適に送り得るものとなっている。
【００２５】
正方向移動部１０ａは、図４に示すように、上述の巻取軸保持手段１２と、正方向レバー１３と、正方向駆動手段１５と姿勢維持手段１７とによって構成している。なお図４は、巻取装置１における右側面付近における内部の構成を示したものである。
【００２６】
正方向レバー１３は、図４に示すように、上下方向に係る操作力を受け付ける入力端部１３１と、当該入力端部１３１が受けた動作力を正方向駆動手段１５へと伝達する伝達部１３２と、回動中心を構成する取付軸部１３３とを有するものとしている。ここで入力端部１３１は、図１、図２にも示すように、後述する弾性部材ＳＰによって、操作力を付与していない状態では回動基端部である上端に位置付けられ且つ伝達部１３２が正方向駆動手段１５と係り合わない回動許容状態（Ｎ）をなしている。当該弾性部材ＳＰにより、入力端部１３１に上側から下側への一方方向の操作力を付与すれば正方向レバー１３は往復動作をすることとなる。伝達部１３２は、取付軸部１３３付近に位置付けられ且つ正方向駆動手段１５における後述する歯車部１５１に噛合い得る伝達歯１３２ａからなるものである。なお当該正方向レバー１３は、入力端部１３１と取付軸部１３３との間の入力寸法Ｉを、伝達部１３２と取付軸部１３３との間の出力寸法Ｏよりも大きく設定しているものとして、いわゆる「てこの原理」により小さい操作力により強い駆動力を出力し得るものとしている。
【００２７】
正方向駆動手段１５は、図４に示すように、正方向レバー１３が受け付けた往復動作による操作力を巻取軸支持手段１２に対する正方向への駆動力へと変換し得るものである。具体的には正方向駆動手段１５は、上述した伝達歯１３２ａと噛合い得る歯車部１５１と、歯車部１５１と同軸に設けられるとともに、歯車の回動のうち片側方向に係る回動のみを上述の巻取軸支持手段１２へと伝達し得る一方向クラッチ部１５２とを有している。なお一方向クラッチ部１５２の具体的な構成は、既知の構成を採用しているため、本明細書における詳細な説明を省略するものとする。
【００２８】
姿勢維持手段１７は、図４に示すように、正方向レバー１３を回動許容状態（Ｎ）に維持し得るものである。具体的には、同図に示すように、正方向レバー１３を回動始端側である上端へと付勢する弾性部材ＳＰによって構成している。そして上述の通り、正方向レバー１３は、上端において伝達部１３２と歯車部１５１とが離間した回動許容状態（Ｎ）となっている。
【００２９】
そして同図に示すように、正方向レバー１３に操作力を付与し入力端部１３１を下方向へ移動させると、同図に想像線で示すような駆動状態（Ｅ）となり、伝達歯１３２ａが歯車部１５１と噛合いながら下方へ移動することにより歯車部１５１が回動し、当該回動に係る作用力が一方向クラッチ１５２部並びに巻取軸支持手段１２を介して巻取軸２２へと伝達され、巻取軸２２が回動し、転写式粘着材料Ｔを巻き取ることにより当該転写式粘着材料Ｔを正方向へ移動する。一方入力端部１３１への操作力を解除すれば弾性部材ＳＰによって入力端部１３１は上端へ移動する。このとき、当該動作に係る伝達歯１３２ａの動作によって歯車部１５１は上記とは反対方向へ回動することとなるが、一方向クラッチ部１５２が巻取軸支持手段１２へ当該回転を伝達させずに所謂空回りをさせることによって、巻取軸２２が反対の方向へ回動することはない。
【００３０】
一方、逆方向移動部１０ｂは、本実施形態では、図５に示すように、上述の巻出軸支持手段１１と、逆方向操作手段たる逆方向レバー１４と、逆方向駆動手段１６と、姿勢維持手段１７とによって構成している。なお図５は、巻取装置１における左側面付近における内部の構成を示したものである。
【００３１】
逆方向レバー１４は、図５に示すように、具体的な外形を除いては上述の正方向レバー１３と同様の構成を有しているものである。すなわち逆方向レバー１４は、上下方向に係る操作力を受け付ける入力端部１４１と、当該入力端部１４１が受けた動作力を逆方向駆動手段１６へと伝達する伝達部１４２と、回動中心を構成する取付軸部１４３とを有するものとしている。ここで入力端部１４１は弾性部材ＳＰによって、操作力を付与していない状態では回動基端部である上端に位置付けられ且つ伝達部１４２が逆方向駆動手段１６と係り合わない回動許容状態（Ｎ）をなしている。当該弾性部材ＳＰにより、入力端部１４１には上側から下側への一方方向の操作力を付与すれば逆方向レバー１４は往復動作をすることとなる。伝達部１４２は、取付軸部１４３付近に位置付けられ且つ逆方向駆動手段１６における後述する歯車部１６１に噛合い得る伝達歯１４２ａからなるものである。なお当該逆方向レバー１４についても、入力端部１４１と取付軸部１４３との間の入力寸法Ｉを、伝達部１４２と取付軸部１４３との間の出力寸法Ｏよりも大きく設定しているものとして、いわゆる「てこの原理」により小さい操作力により強い駆動力を出力し得るものとしている。
【００３２】
逆方向駆動手段１６は、図５に示すように、逆方向レバー１４が受け付けた往復動作による操作力を巻出軸支持手段１１に対する逆方向への駆動力へと変換し得るものである。具体的には逆方向駆動手段１６は、上述した伝達歯１４２ａと噛合い得る第一歯車１６１ａと第二歯車１６１ｂからなる歯車部１６１と、第二歯車１６１ｂと同軸に設けられるとともに、歯車の回動のうち片側方向に係る回動のみを上述の巻出軸支持手段１１へと伝達し得る一方向クラッチ部１６２とを有している。
【００３３】
姿勢維持手段１７は、図５に示すように、逆方向レバー１４を回動許容状態（Ｎ）に維持し得るものである。具体的には、同図に示すように、逆方向レバー１４を回動始端側である上端へと付勢する弾性部材ＳＰによって構成している。そして上述の通り、逆方向レバー１４は、上端において伝達部１４２が第一歯車１６１ａとが離間した回動許容状態（Ｎ）となっている。
【００３４】
そして同図に示すように、逆方向レバー１４においても、当該逆方向レバー１４に操作力を付与されて入力端部１４１が下方向へ移動すると、同図に想像線で示すよう駆動状態（Ｅ）となり、伝達歯１４２ａが第一歯車１６１ａと噛合いながら下方へ移動することにより第二歯車１６１ｂが回動し、当該回動に係る作用力が一方向クラッチ部１６２並びに巻出軸支持手段１１を介して巻出軸２１へと伝達され、しかる後、巻出軸２１が回動し、転写式粘着材料Ｔを逆方向に巻き取ることにより当該転写式粘着材料Ｔを逆方向へ移動する。一方入力端部１４１への操作力を解除すれば弾性部材ＳＰによって入力端部１４１は上端へ移動する。このとき、当該動作に係る伝達歯１４２ａの動作によって歯車部１６１は上記とは反対方向へ回動することとなるが、一方向クラッチ部１６２が巻出軸支持手段１１へ当該回転を伝達させずに所謂空回りをさせることによって、巻出軸２１が反対の方向へ回動することはない。
【００３５】
一方、ホルダ２は、図３及び図４に示すように、当該ホルダ２の上面部分において転写式粘着材料Ｔを支持する粘着材料支持部２５と、巻出軸２１並びに巻取軸２２を仮保持するホルダ部２６と、巻取軸２２並びに巻出軸２１の回動位置を保持し得る位置保持手段たる摩擦制動部２７とを有している。
【００３６】
巻出軸２１及び巻取軸２２は、図３、図４及び図５に示すように、帯状の転写式粘着材料Ｔを巻回した筒状の芯材２０の両端に軸カバー２４を取り付けたものである。なお巻出軸２１及び巻取軸２２を当該ホルダ２に最初に取り付けた状態では巻出軸２１は芯材２０に転写式粘着材料Ｔを所定量巻回した状態となり、巻取軸２２は転写式粘着材料Ｔの先端を芯材２０に固定したのみの状態となっている。そして軸カバー２４は、芯材２０に取り付ける取付部２４１と、後述する圧接部材２７１に接する外周部２４２と、ホルダ２に仮支持される仮支持部２４３と、当該仮支持部２４３の内側において巻出軸支持手段１１並びに巻取軸支持手段１２に取り付けられる被取付部２４４とからなるものである。そして被取付部２４４の表面は巻出軸支持手段１１並びに巻取軸支持手段１２に係り合って好適に回動し得るように凹凸形状を成している。
【００３７】
ホルダ部２６は、同図に示すように、ホルダ２の外形を軸カバー２４の仮支持部２４３の形状に略合致させてなるとともに、軸カバー２４を支持した状態において仮支持部２４３の脱落を防止する抜け止め突起２６１を形成している。
【００３８】
摩擦制動部２７は、図４に示すように、後述する上板部２５０の下面側に圧接部材２７１を取り付けてなるものである。そして当該圧接部材２７１は、巻取軸２２カバーＡ２並びに巻取り軸カバー２４の外周部２４２に弾性反発力を蓄積した状態で圧接し得るものである。また圧接部材２７１は巻出軸２１並びに巻取軸２２の両端に計４カ所に設けている。
【００３９】
しかして、本実施形態に係る粘着補助製品Ａは上述の通り、剥離基材ｔの表面に粘着体ｇを設けた転写式粘着材料Ｔを剥離基材ｔの裏面側から支持し転写式粘着材料Ｔの面方向における所定の移動方向へ転写式粘着材料Ｔを案内し得るステージと、ステージＳＴに対して移動方向に位置付けられ転写式粘着材料Ｔを剥離基材ｔの裏面側へ向けて鋭角に折り返して案内し得る鋭角案内手段Ｘ１、Ｘ２とを少なくとも具備していることを特徴とするものである。そして、この鋭角案内手段Ｘ１、Ｘ２を、ステージＳＴに対して正方向に位置付けた正方向案内部２５ａとステージに対して逆方向に位置付けた逆方向案内部２５ｂとを有するものとしている。
【００４０】
粘着材料支持部２５は、図１、図２、図３及び図６に示すように、ホルダ２の上面をなす上板部２５０と、当該上板部２５０の中央に配置され、例えば柔軟性を有するウレタン素材によってなるステージＳＴと、後述する圧着部材３を取り付けるための圧着部材取付部２５１を有している。そして当該ステージＳＴ上に転写式粘着材料Ｔを配置することにより、物品の圧着面に均一に圧着力を付与し得るものとして、好適に粘着体ｇを転写し得る被圧着転写面Ｚを構成し得るものとなっている。
【００４１】
そして、特に図６に示すように、当該粘着材料支持部２５における正方向並びに逆方向の端部を、転写式粘着材料Ｔを被圧着転写面の面方向に対して鋭角に折り返して支持する本発明に係る案内部たる正方向案内部２５ａ並びに逆方向案内部２５ｂとし、それぞれ本発明に係る鋭角案内手段Ｘ１、Ｘ２をなすものとしている。具体的には、これら鋭角案内手段Ｘ１、Ｘ２を、転写式粘着材料ＴをステージＳＴに対して９０°以下の角度で折り返して設けたものとしている。そして望ましくは９０°から３０°の角度で折り返した態様が良く、このようなものであれば、上述の効果を得るのみならず、転写式粘着材料を移動させる際に要する駆動力が大きくなり過ぎることを有効に回避し得るものとなる。
【００４２】
そして、本実施形態に係る転写補助製品は図７及び図８に示すように、粘着材料支持部における圧着部材取付部２５１に、被圧着転写面Ｚに対して物品を圧着し得る圧着部材３をさらに設けることも可能である。
【００４３】
以下、圧着部材３の構成について図７及び図８に示して説明する。なお、同図は物品としてのプレートＰＬに粘着体ｇを転写する態様を示したものである。
【００４４】
圧着部材３は、支持脚３１と、回動脚３２と、圧着ローラ３３を有している。支持脚３１は、粘着材料支持部２５において２箇所に設けた圧着部材取付部２５１に例えば弾性係合によって取り付けられるものである。回動脚３２は、支持脚３１の先端側において当該支持脚３１に対して基端側を回動可能に設けられるとともに、先端側において圧着ローラ３３を架設支持するものである。圧着ローラ３３は、両端を回動脚３２に支持されることにより、転写式粘着材料Ｔの上側において、移動方向とは直交する方向に延びるように位置付けられるとともに、軸芯周りに回転可能に設けられている。
【００４５】
そして本実施形態において圧着部材３は、図８に示すように、回動脚３２を回動させることにより同図に実線で示す圧着状態（Ｐ）と、同図に破線で示す解除状態（Ｒ）とをとり得るものとなっている。このように構成することにより、圧着状態（Ｐ）において同図に図示する薄板状のプレートＰＬを転写式粘着材料Ｔ、すなわち被圧着転写面Ｚと圧着ローラ３３との間に挟持した状態とし、プレートＰＬ自体を例えば手指等で引っ張るか、或いは上述の正方向移動部１０ａ並びに逆方向移動部１０ｂによりプレートＰＬごと転写式粘着材料Ｔを移動させることにより、プレートＰＬの圧着面における圧着ローラ３３に対応する位置において順次被圧着転写面Ｚに圧着されて確実に粘着体ｇが転写されていくようになっている。
【００４６】
また同図に示すように、プレートＰＬを被圧着転写面Ｚへ圧着した状態で転写式粘着材料Ｔとともに例えば正方向へ順次移動させていくことにより、プレートＰＬが鋭角案内手段Ｘ１を通過することとなる。このとき、正方向案内部２５ａの位置において剥離基材ｔがプレートＰＬから離間していくことによって、プレートＰＬの裏面には粘着体ｇが付着した状態で当該プレートＰＬの端部のみがせり出した状態となる為、粘着体ｇを転写したプレートＰＬを手指によって好適に取り出し易いものとなっている。勿論、同図に破線で示したように、プレートＰＬを逆方向へ移動させた場合でも同様である。
【００４７】
以上のように、本実施形態に係る転写補助製品Ａは、ステージＳＴと、鋭角案内手段Ｘ１、Ｘ２とを具備しているので、厚みの薄い物品を剥離基材ｔに圧着した場合においても、物品を転写式粘着材料Ｔに圧着した状態で鋭角案内手段Ｘ１、Ｘ２により転写式粘着材料Ｔを案内すれば、物品から剥離基材ｔを好適に離間させることができ、ワッシャＷやプレートＰＬといった物品を取り出し易いものとすることができる。そうすることにより、粘着体ｇを転写した厚みの薄い物品を、例えば手指に誤って粘着体ｇを付着させてしまうといったことを有効に回避しつつ好適に取り扱うことができる。その結果として、厚みの薄い物品であっても簡単且つ迅速に粘着体ｇを転写して所望の箇所に止着することが可能となる。
【００４８】
斯かる鋭角案内手段Ｘ１、Ｘ２を単純な構成によって実現するためには、当該鋭角案内手段Ｘ１、Ｘ２を、転写式粘着材料ＴをステージＳＴの面方向に対して鋭角に折り返した状態で支持する案内部たる正方向案内部２５ａ並びに逆方向案内部２５ｂとすることが望ましい。案内部を好適に設けるための構成として、具体的には当該案内部をステージＳＴの縁部に設けた構成を挙げることができる。
【００４９】
そして、転写式粘着材料Ｔを移動方向へ移動させ得る粘着材料移動手段として巻取装置１をさらに具備したものとすれば、転写式粘着材料Ｔに圧着した物品に手を触れる前に鋭角案内手段Ｘ１、Ｘ２により転写式粘着材料Ｔを鋭角方向に離間させて、当該転写式粘着材料Ｔが物品に部分的に離間した状態とすることができる。そのため、当該状態において手指により好適に物品を取り出すことができる。
【００５０】
また、巻取装置１を利用してステージＳＴ上に圧着した物品をより好適に取出しやすくするためには、巻取装置１を、正方向へ転写式粘着材料Ｔを移動させる正方向移動部１０ａと逆方向移動部１０ｂとを有するものとし、鋭角案内手段Ｘ１、Ｘ２を、正方向案内部２５ａと逆方向案内部２５ｂとを有するものとすることにより、物品を何れか距離が近い方を選択して鋭角案内手段Ｘ１、Ｘ２へと案内することができる。そして、斯かる構成の鋭角案内手段Ｘ１、Ｘ２を有効に作用させ得るために、転写式粘着材料ＴをステージＳＴに対して９０°以下の角度で折り返して設けたものとしている。
【００５１】
以上、本発明の実施形態について説明したが、各部の具体的な構成は、上述した実施形態のみに限定されるものではなく、本発明の趣旨を逸脱しない範囲で種々変形が可能である。
【００５２】
例えば、図９に示すように、箱状の整列配置手段４を適用することも可能である。
【００５３】
整列配置手段４は、筐体４１と、底面側に設けた整列穴４２とを有するものである。当該整列穴４２の形状は、使用する所要の物品の形状に沿った形状に設定されている。同図においては、物品としてワッシャＷを配置させた態様を例示している。
【００５４】
また、鋭角案内部Ｘ１、Ｘ２付近に、鋭角案内部Ｘ１、Ｘ２とは格別の部材として、被着体に当接して剥離基材ｔと被着体とを好適に離間させ得るスクレイパを設けることによって、圧着した物品からさらに剥離基材ｔを離間させ易いものとしてもよい。さらに、剥離基材ｔから完全に離間し落下する被着体を受け脱落を防止し得る格別の部材を設けたものであっても良い。
【００５５】
その他、各部の具体的構成についても上記実施形態に限られるものではなく、本発明の趣旨を逸脱しない範囲で種々変形が可能である。
【図面の簡単な説明】
【００５６】
【図１】本発明の一実施形態に係る転写補助製品を示す外観図。
【図２】同上。
【図３】同上。
【図４】同実施形態に係る粘着材料移動手段を示す構成説明図。
【図５】同上。
【図６】同実施形態に係る構成説明図。
【図７】同実施形態に係る他の外観図。
【図８】同実施形態に係る作用説明図。
【図９】同実施形態に係る他の外観図。
【符号の説明】
【００５７】
１…粘着材料移動手段（巻取装置）
１０ａ…正方向移動部
１０ｂ…逆方向移動部
２５ａ…案内部、正方向案内部（正方向案内部）
２５ｂ…案内部、逆方向案内部（逆方向案内部）
ｇ…粘着体
ｔ…剥離基材
ＳＴ…ステージ
Ｔ…転写式粘着材料
Ｘ１、Ｘ２…鋭角案内手段
【図１】
2008000934.tif 000003
【図２】
2008000934.tif 000004
【図３】
2008000934.tif 000005
【図４】
2008000934.tif 000006
【図５】
2008000934.tif 000007
【図６】
2008000934.tif 000008
【図７】
2008000934.tif 000009
【図８】
2008000934.tif 000010
【図９】
2008000934.tif 000011